(57)【要約】【課題】検出機構のコンパクト化を図る上で、また、レンズ鏡筒のコンパクト化を図る上で有利なレンズ鏡筒および撮像装置を提供する。【解決手段】鏡筒１２に設けられた位置決め柱６２の幅は、該位置決め柱６２が検知片通過溝５６０６に挿入された状態で検知片通過溝５６０６の幅方向に沿った方向においてホルダ５６を位置決めできる寸法で形成されている。ホルダ５６の検知片通過溝５６０６に位置決め柱６２９を挿入すると、ホルダ５６が検知片通過溝５６０６の幅方向に沿った方向で正確に位置決めされる。【選択図】        図１９
2005121882.tif 000002
【特許請求の範囲】
【請求項１】
鏡筒と、
前記鏡筒の内部に設けられた撮像素子と、
前記鏡筒の内部に設けられ被写体像を前記撮像素子に導く光学系とを備え、
前記光学系は、該光学系の光軸方向に移動可能に設けられた可動レンズを有し、
前記可動レンズの前記光軸方向に沿った基準位置を検出する検出機構が設けられ、
前記可動レンズはレンズと、このレンズを支持するレンズ枠とを有し、
前記検出機構は、検知片とホルダと光センサとを有し、
前記検知片は、前記レンズ枠から前記レンズの光軸と直交する方向に突出され、
前記ホルダは、互いに対向する一対の腕部と、この一対の腕部の基端を連結する連結部とを有し、
前記光センサは、前記一対の腕部の一方に設けられた発光部と、前記一対の腕部の他方に設けられた受光部とを有し、
前記一対の腕部の間は、前記検知片が前記光軸方向に通過できる幅を有し前記光軸方向に開放された検知片通過溝として形成され、
前記鏡筒には、前記検知片通過溝に挿入される幅と前記光軸方向に延在する長さを有して前記検知片通過溝の奥部に配置される位置決め柱が設けられ、
前記位置決め柱の幅は、該位置決め柱が前記検知片通過溝に挿入された状態で前記検知片通過溝の幅方向に沿った方向において前記ホルダを位置決めできる寸法で形成されている、
ことを特徴とするレンズ鏡筒。
【請求項２】
前記一対の腕部が設けられた箇所とは反対側に位置する連結部の背面に、前記発光部および受光部に対して信号の授受を行なう配線部を有するフレキシブル基板が取着され、前記フレキシブル基板よりも前記一対の腕部寄りに位置する連結部箇所または前記一対の腕部の連結部寄り箇所に光軸方向に突出する取付片が設けられ、前記背面とは反対側に位置する前記取付片の箇所が前記鏡筒側に取着されることで前記ホルダが鏡筒の内部に配設されていることを特徴とする請求項１記載のレンズ鏡筒。
【請求項３】
前記取付片は前記溝の幅方向に間隔をおいて複数設けられていることを特徴とする請求項１記載のレンズ鏡筒。
【請求項４】
前記取付片は、前記ホルダの前記光軸方向の両端に位置する箇所にそれぞれ設けられていることを特徴とする請求項１記載のレンズ鏡筒。
【請求項５】
前記鏡筒は、幅および長さ並びに厚さを有する平板形状に形成され、前記光学系は、前記厚さ方向の一方の面をなす前記鏡筒の前面に設けられた対物レンズを有し、前記撮像素子は、前記鏡筒の内部で前記長さ方向において前記対物レンズが設けられた箇所とは異なる箇所に設けられ、前記可動レンズは、前記鏡筒の内部で前記対物レンズと前記撮像素子との間に設けられていることを特徴とする請求項１記載のレンズ鏡筒。
【請求項６】
鏡筒と、
前記鏡筒の内部に設けられた撮像素子と、
前記鏡筒の内部に設けられ被写体像を前記撮像素子に導く光学系とを備え、
前記光学系は、該光学系の光軸方向に移動可能に設けられた可動レンズを有し、
前記可動レンズの前記光軸方向に沿った基準位置を検出する検出機構が設けられ、
前記可動レンズはレンズと、このレンズを支持するレンズ枠とを有するレンズ鏡筒を有する撮像装置であって、
前記検出機構は、検知片とホルダと光センサとを有し、
前記検知片は、前記レンズ枠から前記レンズの光軸と直交する方向に突出され、
前記ホルダは、互いに対向する一対の腕部と、この一対の腕部の基端を連結する連結部とを有し、
前記光センサは、前記一対の腕部の一方に設けられた発光部と、前記一対の腕部の他方に設けられた受光部とを有し、
前記一対の腕部の間は、前記検知片が前記光軸方向に通過できる幅を有し前記光軸方向に開放された検知片通過溝として形成され、
前記鏡筒には、前記検知片通過溝に挿入される幅と前記光軸方向に延在する長さを有して前記検知片通過溝の奥部に配置される位置決め柱が設けられ、
前記位置決め柱の幅は、該位置決め柱が前記検知片通過溝に挿入された状態で前記検知片通過溝の幅方向に沿った方向において前記ホルダを位置決めできる寸法で形成されている、
ことを特徴とする撮像装置。
【請求項７】
鏡筒と、
前記鏡筒の内部で展開された銀塩フィルムと、
前記鏡筒の内部に設けられ被写体像を前記銀塩フィルムに導く光学系とを備え、
前記光学系は、該光学系の光軸方向に移動可能に設けられた可動レンズを有し、
前記可動レンズの前記光軸方向に沿った基準位置を検出する検出機構が設けられ、
前記可動レンズはレンズと、このレンズを支持するレンズ枠とを有するレンズ鏡筒を有する撮像装置であって、
前記検出機構は、検知片とホルダと光センサとを有し、
前記検知片は、前記レンズ枠から前記レンズの光軸と直交する方向に突出され、
前記ホルダは、互いに対向する一対の腕部と、この一対の腕部の基端を連結する連結部とを有し、
前記光センサは、前記一対の腕部の一方に設けられた発光部と、前記一対の腕部の他方に設けられた受光部とを有し、
前記一対の腕部の間は、前記検知片が前記光軸方向に通過できる幅を有し前記光軸方向に開放された検知片通過溝として形成され、
前記鏡筒には、前記検知片通過溝に挿入される幅と前記光軸方向に延在する長さを有して前記検知片通過溝の奥部に配置される位置決め柱が設けられ、
前記位置決め柱の幅は、該位置決め柱が前記検知片通過溝に挿入された状態で前記検知片通過溝の幅方向に沿った方向において前記ホルダを位置決めできる寸法で形成されている、
ことを特徴とする撮像装置。
【発明の詳細な説明】
【技術分野】
【０００１】
本発明はレンズ鏡筒および撮像装置に関する。
【背景技術】
【０００２】
従来から、可動レンズと、この可動レンズの光軸方向の基準位置を検出する検出機構とが鏡筒に組み込まれたレンズ鏡筒が提供されており、この基準位置を基準として可動レンズが光軸方向に移動される。
前記検出機構として、可動レンズに設けられた検知片と、鏡筒側に設けられ前記検知片によって検知光が遮断されることによって検知片の位置を検出する光検出器（フォトインターラプタ）とを有するものが知られている（例えば特許文献１、図２７参照）。
この種の検出機構では、光検出器を構成する発光部と受光部との間に、可動レンズに伴って移動する検知片を通過させるようにしている。
また、検出機構を鏡筒に対して組付ける際には、まず、光検出器をプリント基板に対して位置決めし、次いで光検出器の背面をプリント基板に固定し、次いでプリント基板の位置決め孔を鏡筒に設けられたボスに嵌合させ、これにより光検出器と検知片との相対的な位置決めを行なっている。
【特許文献１】特許第３３６５９００号公報
【発明の開示】
【発明が解決しようとする課題】
【０００３】
一方、鏡筒を含めた各種部材や部品は加工誤差を有しており、そのため検知片が発光部や受光部に干渉せずに発光部と受光部との間を通過できるように、発光部と受光部と間に充分な間隙を確保する必要があり、したがって検出機構のコンパクト化を図る上で不利があり。レンズ鏡筒をコンパクト化する上で不利があった。
また、このようなレンズ鏡筒では、前記プリント基板は光検出器の取付板を兼ねるため厚さが大きく、光検出器を配設するためにプリント基板の厚さ方向に大きなスペースが必要となり、レンズ鏡筒を小型化する上で不利があった。
本発明はこのような事情に鑑みなされたものであり、本発明の目的は、検出機構のコンパクト化を図る上で、また、レンズ鏡筒のコンパクト化を図る上で有利なレンズ鏡筒および撮像装置を提供することにある。
また、本発明の目的は、光検出器に用いるプリント基板の厚さ方向の空間を確保することなく光検出器を配設でき、検出機構のコンパクト化を図る上で、また、レンズ鏡筒のコンパクト化を図る上で有利なレンズ鏡筒および撮像装置を提供することにある。
【課題を解決するための手段】
【０００４】
上述の目的を達成するため、本発明のレンズ鏡筒は、鏡筒と、前記鏡筒の内部に設けられた撮像素子と、前記鏡筒の内部に設けられ被写体像を前記撮像素子に導く光学系とを備え、前記光学系は、該光学系の光軸方向に移動可能に設けられた可動レンズを有し、前記可動レンズの前記光軸方向に沿った位置を検出する検出機構が設けられ、前記可動レンズはレンズと、このレンズを支持するレンズ枠とを有し、前記検出機構は、検知片とホルダと光センサとを有し、前記検知片は、前記レンズ枠から前記レンズの光軸と直交する方向に突出され、前記ホルダは、互いに対向する一対の腕部と、この一対の腕部の基端を連結する連結部とを有し、前記光センサは、前記一対の腕部の一方に設けられた発光部と、前記一対の腕部の他方に設けられた受光部とを有し、前記一対の腕部の間は、前記検知片が前記光軸方向に通過できる幅を有し前記光軸方向に開放された検知片通過溝として形成され、前記鏡筒には、前記検知片通過溝に挿入される幅と前記光軸方向に延在する長さを有して前記検知片通過溝の奥部に配置される位置決め柱が設けられ、前記位置決め柱の幅は、該位置決め柱が前記検知片通過溝に挿入された状態で前記検知片通過溝の幅方向に沿った方向において前記ホルダを位置決めできる寸法で形成されていることを特徴とする。
また、本発明のレンズ鏡筒は、前記一対の腕部が設けられた箇所とは反対側に位置する連結部の背面に、前記発光部および受光部に対して信号の授受を行なう配線部を有するフレキシブル基板が取着され、前記フレキシブル基板よりも前記一対の腕部寄りに位置する連結部箇所または前記一対の腕部の連結部寄り箇所に光軸方向に突出する取付片が設けられ、この取付片が前記鏡筒側に取着されることで前記ホルダが鏡筒の内部に配設されていることを特徴とする。
また、本発明の撮像装置は、鏡筒と、前記鏡筒の内部に設けられた撮像素子と、前記鏡筒の内部に設けられ被写体像を前記撮像素子に導く光学系とを備え、前記光学系は、該光学系の光軸方向に移動可能に設けられた可動レンズを有し、前記可動レンズの前記光軸方向に沿った位置を検出する検出機構が設けられ、前記可動レンズはレンズと、このレンズを支持するレンズ枠とを有するレンズ鏡筒を有する撮像装置であって、前記検出機構は、検知片とホルダと光センサとを有し、前記検知片は、前記レンズ枠から前記レンズの光軸と直交する方向に突出され、前記ホルダは、互いに対向する一対の腕部と、この一対の腕部の基端を連結する連結部とを有し、前記光センサは、前記一対の腕部の一方に設けられた発光部と、前記一対の腕部の他方に設けられた受光部とを有し、前記一対の腕部の間は、前記検知片が前記光軸方向に通過できる幅を有し前記光軸方向に開放された検知片通過溝として形成され、前記鏡筒には、前記検知片通過溝に挿入される幅と前記光軸方向に延在する長さを有して前記検知片通過溝の奥部に配置される位置決め柱が設けられ、前記位置決め柱の幅は、該位置決め柱が前記検知片通過溝に挿入された状態で前記検知片通過溝の幅方向に沿った方向において前記ホルダを位置決めできる寸法で形成されていることを特徴とする。
また、本発明の撮像装置は、鏡筒と、前記鏡筒の内部で展開された銀塩フィルムと、前記鏡筒の内部に設けられ被写体像を前記銀塩フィルムに導く光学系とを備え、前記光学系は、該光学系の光軸方向に移動可能に設けられた可動レンズを有し、前記可動レンズの前記光軸方向に沿った基準位置を検出する検出機構が設けられ、前記可動レンズはレンズと、このレンズを支持するレンズ枠とを有するレンズ鏡筒を有する撮像装置であって、前記検出機構は、検知片とホルダと光センサとを有し、前記検知片は、前記レンズ枠から前記レンズの光軸と直交する方向に突出され、前記ホルダは、互いに対向する一対の腕部と、この一対の腕部の基端を連結する連結部とを有し、前記光センサは、前記一対の腕部の一方に設けられた発光部と、前記一対の腕部の他方に設けられた受光部とを有し、前記一対の腕部の間は、前記検知片が前記光軸方向に通過できる幅を有し前記光軸方向に開放された検知片通過溝として形成され、前記鏡筒には、前記検知片通過溝に挿入される幅と前記光軸方向に延在する長さを有して前記検知片通過溝の奥部に配置される位置決め柱が設けられ、前記位置決め柱の幅は、該位置決め柱が前記検知片通過溝に挿入された状態で前記検知片通過溝の幅方向に沿った方向において前記ホルダを位置決めできる寸法で形成されていることを特徴とする。
【発明の効果】
【０００５】
そのため、本発明によれば、鏡筒に設けられた位置決め柱の幅は、該位置決め柱が検知片通過溝に挿入された状態で検知片通過溝の幅方向に沿った方向においてホルダを位置決めできる寸法で形成されているので、ホルダの検知片通過溝に位置決め柱を挿入すると、ホルダが検知片通過溝の幅方向に沿った方向で正確に位置決めされる。そのため、検知片と一対の腕部との間の間隔を確実に確保することができ、検知片が一対の腕部に衝突することなく検知片通過溝を確実に通過することができる。したがって、検知片と一対の腕部との間の寸法を、すなわち検知片通過溝の幅方向の寸法を可及的に縮小することができ、これにより検知片通過溝の幅方向におけるホルダの寸法を縮小でき、検出機構およびレンズ鏡筒のコンパクト化を図る上で有利となる。
また、フレキシブル基板よりも一対の腕部寄りに位置する連結部箇所または一対の腕部の連結部寄り箇所に光軸方向に突出する取付片を設け、ホルダの背面とは反対側に位置する取付片箇所を第２鏡筒分割体に突き当てて鏡筒に取着するので、従来のように光検出器の配設用の取付板を兼ねた厚さの大きいプリント基板をホルダの背面に配設する必要がなくなり、したがって、検知片通過溝の深さ方向における検出機構の寸法のコンパクト化を図る上で、また、レンズ鏡筒のコンパクト化を図る上で有利となる。
【発明を実施するための最良の形態】
【０００６】
検出機構のコンパクト化を図る上で、また、レンズ鏡筒のコンパクト化を図るという目的を、鏡筒に位置決め柱を設けるとともに、位置決め柱の幅を該位置決め柱が検知片通過溝に挿入された状態で検知片通過溝の幅方向に沿った方向においてホルダを位置決めできる寸法で形成することによって実現した。
【実施例１】
【０００７】
次に本発明の実施例１について図面を参照して説明する。
本実施例では、本発明のレンズ鏡筒が撮像装置に組み込まれている場合について説明する。
図１は実施例１の撮像装置を前方から見た斜視図、図２は実施例１の撮像装置を後方から見た斜視図、図３は実施例１の撮像装置を下方から見た斜視図、図４はメモリカードおよびバッテリーの収容状態を説明する説明図、図５は撮像装置の制御系を示すブロック図である。
図１、図２に示すように、撮像装置１００はデジタルスチルカメラであって、外装を構成する矩形板状のケース１０２を有し、ケース１０２は、前側ケース１０２Ａと後側ケース１０２Ｂとが合わせられて構成され、前側ケース１０２Ａによりケース１０２の前面が構成され、後側ケース１０２Ｂによりケース１０２の後面が構成されている。なお、本明細書においてケース１０２の左右はケース１０２を前方から見た状態でいうものとする。
ケース１０２の右側部には、図中二点鎖線で示すように、本発明に係るレンズ鏡筒１０が組み込まれており、レンズ鏡筒１０には、対物レンズ１４と、撮像素子１２８と、対物レンズ１４で捉えた被写体像を撮像素子１２８に導く光学系１０４などが設けられており、これら対物レンズ１４と光学系１０４によって特許請求の範囲の光学系が構成されている。
対物レンズ１４は前側ケース１０２Ａに設けられたレンズ窓１０３を介してケース１０２前方に臨んで配置されている。
ケース１０２の前面右寄りの箇所には、撮影補助光を出射するフラッシュ１０８、セルフタイマーランプ１１０などが設けられている。
ケース１２の前面にはカバー１１２が上下にスライド可能に設けられ、このカバー１１２は、図１に示すようにレンズ窓１０３、フラッシュ１０８、セルフタイマーランプ１１０を前方に露出させる下限位置と、これらレンズ窓１０３、フラッシュ１０８、セルフタイマーランプ１１０を覆う上限位置とにスライドされる。
ケース１２の上面の左寄り箇所には、シャッターボタン１１４、電源ボタン１１６などが設けられている。
ケース１２の後面には静止画および動画などの画像や文字や記号などが表示されるディスプレイ１１８（液晶表示器）、撮影光学系１０４のズーミング動作を行なわせるためのズームスイッチ１２０、各種操作を行なうための十字スイッチ１２２および複数の操作ボタン１２４が設けられている。
ケース１２の左側面には、撮像装置１００を静止画撮影モード、動画撮影モード、再生・編集モードなどに切り替えるためのモードスイッチ１２６が設けられている。
図３、図４に示すように、ケース１０２の下面には、静止画あるいは動画などの画像などを記録するためのメモリカード１３２を装脱可能に収容するメモリ収容室１０２Ａと、撮像装置１００の電源を構成するバッテリー１３８を装脱可能に収容するバッテリー収容室１０２Ｂとがケース１２の前後方向（厚さ方向）に並べて設けられている。これらメモリ収容室１０２Ａ、バッテリー収容室１０２Ｂはケース１０２の下面にヒンジを介して連結された開閉蓋１０２Ｃによって開閉される。
【０００８】
図５に示すように、撮像素子１２８は、光学系１０４によって結像された被写体像を撮像するＣＣＤやＣＭＯＳセンサなどで構成されている。
撮像素子１２８で撮像された像は撮像信号として画像処理部１３０に出力され、画像処理部１３０ではこの撮像信号に基づいて静止画あるいは動画の画像データが生成され、メモリカード（記憶媒体）１３２に記録される。また、前記画像データは表示処理部１３４によりディスプレイ１１８に表示される。
さらに、撮像装置１００は、シャッタボタン１１４、十字スイッチ１２２、操作ボタン１２４、モードスイッチ１２６の操作に応じて、画像処理部１３０、表示処理部１３４を制御するＣＰＵなどを含む制御部１３６を備えている。
【０００９】
図６はレンズ鏡筒１０を斜め前方から見た斜視図、図７はレンズ鏡筒１０を斜め後方から見た斜視図、図８はレンズ鏡筒１０の一部の構成を示す分解斜視図、図９はレンズ鏡筒１０の残りの構成を示す分解斜視図、図１０は図６のＸＸ線断面図、図１１は図６のＹＹ線断面図、図１２はレンズ鏡筒１０の左側部分の断面斜視図、図１３はレンズ鏡筒１０の右側部分の断面斜視図、図１４は第１鏡筒分割体１２０２の横断面図、図１５は第２鏡筒分割体１２０４の横断面図、図１６はズーム用可動レンズ１８、フォーカス用可動レンズ２０の斜視図、図１７は第２鏡筒分割体１２０４の要部の断面斜視図である。
【００１０】
図６乃至図９に示すように、レンズ鏡筒１０は、鏡筒１２と、対物レンズ１４と、撮像素子１２８と、光学系１０４とを含んで構成されている。
本実施例では、光学系１０４は、反射部材１６と、ズーム用可動レンズ１８と、フォーカス用可動レンズ２０と、第１の固定レンズ２２と、第２の固定レンズ２４と、第３の固定レンズ２６と、ズーム用可動レンズ１８用の案内機構２８と、フォーカス用可動レンズ２０用の案内機構３０とを備えている。
さらに、ズーム用可動レンズ１８を移動させる駆動手段３２と、フォーカス用可動レンズ２０を移動させる駆動手段３４とが設けられている。
【００１１】
図６、図７に示すように、鏡筒１２は、全体として幅および長さ並びに厚さを有する平板形状を呈しており、対物レンズ１４と撮像素子１２８と光学系１０４とは鏡筒１２の幅方向の中央部で鏡筒１２の長さ方向に沿って並べられて配置されている。
鏡筒１２は、長さ方向において分割された第１鏡筒分割体１２０２および第２鏡筒分割体１２０４と、これら２つの鏡筒分割体１２０２，１２０４の間に挟まれる第３鏡筒分割体１２０６とで構成され、鏡筒１２の長手方向の一方の半部に第１鏡筒分割体１２０２が位置し、鏡筒１２の長手方向方の他方の半部に第２鏡筒分割体１２０４が位置し、これら第１鏡筒分割体１２０２および第２鏡筒分割体１２０４の間に第３鏡筒分割体１２０８が介在されている。
なお、本実施例では、図１に示すように、鏡筒１２の長さ方向が上下方向に向けて配置されることから、鏡筒１２の上部に第１鏡筒分割体１２０２が位置し、鏡筒１２の下部に第２鏡筒分割体１２０４が位置し、鏡筒１２の上下方向の中央部に第３鏡筒分割体１２０８が位置している。そして、撮像装置１００のケース１０２の前面に平行する鏡筒１２の厚さ方向の一方の面が鏡筒１２の前面となり、ケース１０２の後面に平行する他方の面が鏡筒１２の後面となり、鏡筒１２の幅方向の一方の面が左側面となり、他方の面が右側面となる。また、本実施例では、これら第１、第２、第３鏡筒分割体１２０２、１２０４、１２０６は合成樹脂材料によって形成されている。
【００１２】
図８、図１０乃至図１３に示すように、第１鏡筒分割体１２０２の内部には、下面に開放状の部品収容空間１２０２Ａが設けられており、対物レンズ１４はその前面側にレンズ押え１４０２が位置し後面側に遮光枠１４０４が位置した状態で、第１鏡筒分割体１２０２の前面の上部でかつ幅方向の中央部に取着されている。
反射部材１６は、対物レンズ１４で捉えた像を下部に向けて（撮像素子１２８側に）反射させるもので本実施例ではプリズムが用いられている。反射部材１６は、部品収容空間１２０２Ａで対物レンズ１４に臨む箇所に配置されている。
第１の固定レンズ２２とズーム用可動レンズ１８とは、部品収容空間１２０２Ａ内で反射部材１６の下方に配置されている。
第１の固定レンズ２２は、第１鏡筒分割体１２０２の取付部に組み込まれるレンズ２２０２と、このレンズ２２０２を前記取付部に固定させる押え部材（遮光枠を兼ねる）２２０４とで構成されている。
【００１３】
図８に示すように、ズーム用可動レンズ群１８は、第１のズームレンズ１８０２と、互いに貼り合わされた第２、第３のズームレンズ１８０４、１８０５と、これら第１、第２、第３のズームレンズ１８０２、１８０４、１８０５の外周部をカシメにより支持したズーム用レンズ枠１８０６とを有している。
図１４に示すように、鏡筒１２の厚さ方向の両端に位置する第１、第２、第３のズームレンズ１８０２、１８０４、１８０５の部分はそれぞれ切り取られ、これにより鏡筒１２の厚さ方向の端部に位置する第１、第２、第３のズームレンズ１８０２、１８０４、１８０５の両端には、鏡筒１２の前面および後面に平行して直線状に延在する縁部１８０８が設けられている。
ズーム用レンズ枠１８０６は、第１、第２、第３のズームレンズ１８０２、１８０４、１８０５の周囲に位置しこれら第１、第２、第３のズームレンズ１８０２、１８０４、１８０５を保持する保持部１８１０と、この保持部１８１０から部品収容空間１２０２Ａ内の幅方向に延在する延在部１８１２とを有している。
保持部１８１０には、第１、第２、第３のズームレンズ１８０２、１８０４、１８０５の縁部１８０８に対応して鏡筒１２の前面および後面に平行して延在する直線部１８１４がそれぞれ設けられている。
図１６に示すように、延在部１８１２には、ロッド挿通孔１８１４が設けられ、また、鏡筒１２の長手方向において互いに対向するフランジ１８１６、１８１６が設けられ、これらフランジ１８１６、１８１６には、図８に示すように、軸３６０２、３６０２を介して雌ねじ３６０４を有する雌ねじ部材３６が鏡筒１２の長手方向に移動不能に結合される。
また、延在部１８１２とは反対側に位置する保持部１８１０の箇所で部品収容空間１２０２Ａの隅部１２０２Ｂ（本実施例では左側面と後面とが交わる箇所）に位置する箇所に係合溝１８１８が形成されている。
【００１４】
ロッド挿通孔１８１４には、第１鏡筒分割体１２０２の長さ方向に延在する金属製のメインガイド軸３８が滑動可能に挿通されている。このメインガイド軸３８はその長さ方向の両端が第１鏡筒分割体１２０２の上面を構成する壁部と、第３鏡筒分割体１２０６の壁部とで支持されている。メインガイド軸３８は第１、第２、第３のズームレンズ１８０２、１８０４、１８０５の光軸と平行して延在しており、本実施例では第１鏡筒分割体１２０２の長さ方向に延在している。したがって、メインガイド軸３８はズーム用可動レンズ１８を該ズーム用可動レンズ１８の光軸方向に案内している。
係合溝１８１８には、第１鏡筒分割体１２０２の長さ方向に延在するサブガイド軸４０が滑動可能に挿通されている。したがって、サブガイド軸４０はズーム用レンズ１８がメインガイド軸３８の回りに回転することを阻止している。サブガイド軸４０は第１鏡筒分割体１２０２と一体に形成されており、したがって、合成樹脂製である。サブガイド軸４０は、詳細には、部品収容空間１２０２Ａの隅部１２０２Ｂから突出する脚部４００２と、この脚部４００２の先端に設けられた軸状部分４００４とで構成されている。サブガイド軸４０は第１、第２、第３のズームレンズ１８０２、１８０４、１８０５の光軸と平行して延在しており、本実施例では第１鏡筒分割体１２０２の長さ方向に延在している。
ズーム用可動レンズ１８用の案内機構２８は、これらメインガイド軸３８とサブガイド軸４０によって構成されている。
【００１５】
図８、図１６に示すように、ズーム用可動レンズ１８を移動させる駆動手段３２は、鏡筒１２の長さ方向に延在するホルダ３２０２と、ホルダ３２０２の上部に設けられたモータ３２０４と、ホルダ３２０２に沿って延在しモータ３２０４により回転駆動される雄ねじ部材３２０６とを有している。
ホルダ３２０２は第１鏡筒分割体１２０２の右側面の欠部に取着され、これにより雄ねじ部材３２０６が部品収容空間１２０２Ａに位置し、モータ３２０４は第１鏡筒分割体１２０２の上面に位置する。
雄ねじ部材３２０６は雌ねじ部材３６の雌ねじ３６０４に螺合され、したがってモータ３２０４の正逆転によりズーム用可動レンズ１８はメインガイド軸３８およびサブガイド軸４０に案内されつつそれらの光軸方向に沿って往復移動される。
本実施例では、図１４に示すように、ズーム用可動レンズ１８とメインガイド軸３８と雄ねじ部材３２０６とが第１鏡筒分割体１２０２の内部で第１鏡筒分割体１２０２の幅方向に並べられて配置され、サブガイド軸４０はメインガイド軸３８および雄ねじ部材３２０６とは反対側に位置するズーム用レンズ枠１８０６箇所に配置されることになる。
【００１６】
図８に示すように、第３鏡筒分割体１２０６は、部品収容空間１２０２Ａ内に臨む内部部分１２０６Ａと、部品収容空間１２０２Ａ外に位置する外部部分１２０６Ｂとを有している。
第２の固定レンズ２４は、その光軸をズーム用可動レンズ１８の光軸と一致させて内部部分１２０６Ａに取着され、また、第２の固定レンズ２４の後面にアイリス（絞り）４２が配置されている。このアイリス４２は、第３鏡筒分割体１２０６の外部部分１２０６Ｂに取着された駆動部４４により開閉される。
本実施例では、図１８に示すように、サブガイド軸４０は第１鏡筒分割体１２０２の下面よりも下方に突出され、より詳細には第１鏡筒分割体１２０２が第３鏡筒分割体１２０６に合わされる合わせ面よりも下方に突出され、このサブガイド軸４０の突出部分４０Ａが、第３鏡筒分割体１２０６の合わせ面の孔１２０６Ａに嵌合されることで第１鏡筒分割体１２０２と第３鏡筒分割体１２０６との位置決めがなされている。
なお、第１鏡筒分割体１２０２と第３鏡筒分割体１２０６とは図１４に示すように、前記駆動部４４近傍の箇所でねじ２０２により取着され、第２鏡筒分割体１２０４と第３鏡筒分割体１２０６とは図９に示すように、右側面寄りの箇所によりねじ２０４により取着されている。
【００１７】
第２鏡筒分割体１２０４の内部には、本実施例では、上下に開放された部品収容空間１２０４Ａが形成されており、第２鏡筒分割体１２０４の下部に撮像素子取付板４６が取着されることでこの部品収容空間１２０４Ａの下端は閉塞されている。したがって、本実施例では、第２鏡筒分割体１２０４は撮像素子取付板４６を含んで構成されている。
フォーカス用可動レンズ２０と第３の固定レンズ２６は、部品収容空間１２０４Ａ内で第２鏡筒分割体１２０４の幅方向中央に位置する箇所に配置されている。
【００１８】
フォーカス用可動レンズ２０は、互いに貼り合わされた第１、第２のフォーカスレンズ２００２、２００４と、これら第１、第２のフォーカスレンズ２００２、２００４を支持するフォーカス用レンズ枠２００６とを有している。
図１５に示すように、鏡筒１２の厚さ方向の両端に位置する第１、第２のフォーカスレンズ２００２、２００４の部分はそれぞれ切り取られ、これにより鏡筒１２の厚さ方向の端部に位置する第１、第２のフォーカスレンズ２００２、２００４の両端には、鏡筒１２の前面および後面に平行して直線状に延在する縁部２００８が設けられている。
フォーカス用レンズ枠２００６は、第１、第２のフォーカスレンズ２００２、２００４の周囲に位置しこれら第１、第２のフォーカスレンズ２００２、２００４を保持する保持部２０１０と、この保持部２０１０から部品収容空間１２０４Ａ内の幅方向に延在する延在部２０１２とを有している。
保持部２０１０には、第１、第２のフォーカスレンズ２００２、２００４の縁部２００８に対応して鏡筒１２の前面および後面に平行して延在する直線部２０１４がそれぞれ設けられている。
延在部２０１２には、ロッド挿通孔２０１４が設けられ、また、図１６に示すように、鏡筒１２の長手方向において互いに対向するフランジ２０１６、２０１６が設けられ、これらフランジ２０１６、２０１６には、図９に示すように、軸４８０２、４８０２を介して雌ねじ４８０４を有する雌ねじ部材４８が鏡筒１２の長手方向に移動不能に結合される。
また、延在部２０１２とは反対側に位置する保持部２０１０の箇所で部品収容空間１２０４Ａの隅部１４０２Ｂ（本実施例では左側面と後面とが交わる箇所）に位置する箇所に係合溝２０１８が形成されている。
【００１９】
ロッド挿通孔２０１４には、第２鏡筒分割体１２０４の長さ方向に延在する金属製のメインガイド軸５０が滑動可能に挿通されている。このメインガイド軸５０はその長さ方向の両端が第３鏡筒分割体１２０６の壁部と、第２鏡筒分割体１２０４の下部に設けられた壁部とで支持されている。メインガイド軸５０は第１、第２のフォーカスレンズ２００２、２００４の光軸と平行して延在しており、本実施例では第２鏡筒分割体１２０４の長さ方向に延在している。したがって、メインガイド軸５０はフォーカス用可動レンズ２０を該フォーカス用可動レンズ２８の光軸方向に案内している。
係合溝２０１８には、第２鏡筒分割体１２０４の長さ方向に延在するサブガイド軸５２が滑動可能に挿通されている。したがって、サブガイド軸５２はフォーカス用レンズ２０がメインガイド軸５０の回りに回転することを阻止している。サブガイド軸５２は第２鏡筒分割体１２０４と一体に形成されており、したがって、合成樹脂製である。サブガイド軸５２は、詳細には、部品収容空間１２０４Ａの隅部から突出する脚部５２０２と、この脚部５２０２の先端に設けられた軸状部分５２０４とで構成されている。サブガイド軸５２は第１、第２のフォーカスレンズ２００２、２００４の光軸と平行して延在しており、本実施例では第２鏡筒分割体１２０４の長さ方向に延在している。
フォーカス用可動レンズ２０用の案内機構３０は、これらメインガイド軸３８とサブガイド軸４０によって構成されている。
なお、本実施の形態では、図１８に示すように、サブガイド軸５２は第２鏡筒分割体１２０４の上面よりも上方に突出され、より詳細には第２鏡筒分割体１２０４が第３鏡筒分割体１２０６に合わされる合わせ面よりも上方に突出され、このサブガイド軸５２の突出部分５２Ａが、第３鏡筒分割体１２０６の合わせ面の孔１２０６Ｂに嵌合されることで第２鏡筒分割体１２０４と第３鏡筒分割体１２０６の位置決めがなされている。
【００２０】
フォーカス用可動レンズ２０を移動させる駆動手段３４は、鏡筒１２の長さ方向に延在するホルダ３４０２と、ホルダ３４０２の下部に設けられたモータ３４０４と、ホルダ３４０２に沿って延在しモータ３４０４により回転駆動される雄ねじ部材３４０６とを有している。
ホルダ３４０２は第２鏡筒分割体１２０４の右側面の欠部に取着され、これにより雄ねじ部材３４０６が部品収容空間１２０４Ａに位置し、モータ３４０４は第２鏡筒分割体１２０４の下部に位置する。
雄ねじ部材３４０６は雌ねじ部材４８の雌ねじ４８０４に螺合され、したがってモータ３４０４の正逆転によりフォーカス用可動レンズ２０はメインガイド軸５０およびサブガイド軸５２に案内されつつそれらの光軸方向に沿って往復移動される。
したがって、本実施例では、フォーカス用可動レンズ２０とメインガイド軸５０と雄ねじ部材３４０４とが第２鏡筒分割体１２０４の内部で第２鏡筒分割体１２０４の幅方向に並べられて配置され、サブガイド軸５２はメインガイド軸５０および雄ねじ部材３０６とは反対側に位置するフォーカス用レンズ枠２００６箇所に配置されることになる。
第３の固定レンズ２６は、フォーカス用可動レンズ２０の下方の部品収容空間１２０４Ａ箇所に配置され、第２鏡筒分割体１２０４の取付部に組み込まれるレンズ２６０２と、このレンズ２６０２を前記取付部に固定させる押え部材２６０４とで構成されている。
【００２１】
撮像素子取付板４６は、部品収容空間１２０４Ａの下端を閉塞するように第２鏡筒分割体１２０４の下部にねじ２０６、２０６によって取着されている。
撮像素子１２８は、撮像素子取付板４６が部品収容空間１２０４Ａに臨む内面に配置されている。
本実施例では撮像素子取付板４６に矩形の窓４６０２が設けられ、この窓４６０２に撮像素子１２８が嵌め込まれて配置され、撮像素子取付板４６の内面で撮像素子１２８の上面にシールガラス４６０４、シールゴム４６０６およびローパスフィルタ４６０８が配置され、押さえ板４６１０によって固定されている。
【００２２】
なお、図１１、図１２、図１３、図１７に示すように、部品収容空間１２０４Ａに臨む第２鏡筒分割体１２０４の後面箇所で第２鏡筒分割体１２０４Ａの上端と第２の固定レンズ２４との間の箇所には凹凸部１２０４Ｃが設けられている。
また、部品収容空間１２０４Ａに臨む第２鏡筒分割体１２０４の後面箇所で第３の固定レンズ２６と撮像素子１２８との間の箇所には凹凸部１２０４Ｄが設けられている。
これらの凹凸部１２０４Ｃ、１２０４Ｄは、対物レンズ１４、反射部材１６、第１の固定レンズ２２、ズーム用可動レンズ１８、第２の固定レンズ２４、フォーカス用可動レンズ２０を介して進入してきた光のうち、部品収容空間１２０４Ａに臨む第２鏡筒分割体１２０４の後面箇所に到達した光が該後面箇所で反射されることで、いわゆるフレアあるいはゴーストと呼ばれる反射光が発生し、この反射光が撮像素子１２８の受光面に到達して撮像素子１２８の撮像信号に対して悪影響を及ぼすことを防止するために設けられている。
なお、撮像素子１２８から遠い箇所に設けられた凹凸部１２０４Ｃの凹凸の間隔に対して撮像素子１２８から近い箇所に設けられた凹凸部１２０４Ｄの凹凸の間隔が大きく形成されている。これは、凹凸部１２０４Ｃに当たる前記光の角度に対して凹凸部１２０４Ｄに当たる前記光の角度がより小さいためであり、このように凹凸部１２０４Ｃ、１２０４Ｄの凹凸の間隔を変えることで、第２鏡筒分割体１２０４の成形時に金型からの取り外し性が向上される利点がある。
【００２３】
次に、ズーム用可動レンズ１８の基準位置を検出する検出機構とフォーカス用可動レンズ２０の基準位置を検出する検出機構について説明する。本実施例では、これらの検出機構は、ほぼ同一の構成であることから、本実施例では、フォーカス用可動レンズ２０の位置を検出する検出機構５４について説明し、ズーム用可動レンズ１８の位置を検出する検出機構については説明を省略する。なお、前記基準位置は、ズーム用可動レンズ１８およびフォーカス用可動レンズ２０が移動される際に基準とされる位置である。
図１９は図１６のＸ１Ｘ１断面図、図２０は図１６のＹ１Ｙ１断面図、図２１は検出機構の説明図、図２２は光検知器の斜視図である。図２３は光検知器の６面図であり、（Ａ）は背面図、（Ｂ）は（Ａ）のＢ矢視図、（Ｃ）は正面図、（Ｄ）は（Ａ）のＤ矢視図、（Ｅ）は（Ａ）のＥ矢視図、（Ｆ）は（Ａ）のＦ矢視図である。図２４は検出機構５４の組付けを説明する説明図、図２５は検出機構５４の組付け後の説明図である。
図１６、図２１、図２２に示すように、検出機構５４は、フォーカス用可動レンズ２０の光軸方向に沿った基準位置を検出するものであり、フォーカス用レンズ枠２００６に設けられた検知片２０２０と、ホルダ５６および光センサ５８を有する光検知器６０などを備えている。
【００２４】
図１６、図２０に示すように、検知片２０２０は、フォーカス用レンズ枠２００６の延出部２０１２の端部から第１、第２のフォーカスレンズ２００２、２００４の光軸と直交する方向に平板状に突出形成され、フォーカス用レンズ枠２００６と一体に設けられている。
【００２５】
図２２、図２３に示すように、光検知器６０のホルダ５６は、互いに対向する一対の腕部５６０２と、この一対の腕部５６０２の基端を連結する連結部５６０４とを有してコ字状に形成され、合成樹脂製である。
【００２６】
一対の腕部５６０２の間は、検知片２０２０が前記光軸方向に通過できる幅を有し前記光軸方向に開放された検知片通過溝５６０６として形成されている。上述の検知片２０２０は、その厚さ方向を検知片通過溝５６０６の幅方向に平行させた状態で検知片通過溝５６０６内に侵入し該検知片通過溝５６０６を通過する。
また、一対の腕部５６０２が設けられた箇所とは反対側に位置する連結部５６０４の背面の４隅には凹部が設けられ、これらの凹部に４つの接続端子５６０８が前記背面とほぼ同一面上に臨むように収容されて配設されている。そして、前記背面にはフレキシブル基板６４がリフロー半田付けにより接続され、これにより４つの接続端子５６０８はフレキシブル基板６４で覆われることになる。
フレキシブル基板６４よりも一対の腕部５６０２寄りに位置する連結部５６０４箇所または一対の腕部５６０２の連結部５６０４寄り箇所に光軸方向に突出する取付片５６１０が設けられている。
本実施例では、取付片５６１０は、ホルダ５６の前記光軸方向の両端に位置する箇所に、検知片通過溝５６０６の幅方向に間隔をおいて２つずつ設けられている。
前記背面とは反対側に位置する取付片５６１０の端面は、後述するように検知片通過溝５６０６が位置決め柱６２により位置決めされた状態で、第２鏡筒分割体１２０４の前面側箇所に突き当てられ接着などにより該前面側箇所に取着され、これによりホルダ５６は鏡筒１２の内部に配設されている。
【００２７】
図１９に示すように、光センサ５８は、一対の腕部５６０２の一方に埋め込まれた発光部５８０２と、一対の腕部５６０２の他方に埋め込まれた受光部５８０４とを有している。
光センサ５８は、発光部５８０２から出射された検知光を受光部５８０４で受光するように構成されており、検知片２０２０が検知片通過溝５６０６を通過することで前記検知光が遮断されると、前記検知光が遮断されたことを示す検知信号を出力するように構成されている。
なお、発光部５８０２および受光部５８０４との間における発光部５８０２への駆動信号および受光部５８０４からの検出信号の授受は、各接続端子５６０８およびフレキシブル基板６４の配線部を介して行なわれる。
【００２８】
図１９、図２４に示すように、さらに、鏡筒１２には、検知片通過溝５６０６に挿入される幅と前記光軸方向に延在する長さを有して検知片通過溝５６０６の奥部に配置される位置決め柱６２が設けられている。本実施例では、この位置決め柱６２は、第３鏡筒分割体１２０６に一体に設けられている。
位置決め柱６２の幅は、該位置決め柱６２が検知片通過溝５６０６に挿入された状態で検知片通過溝５６０６の幅方向に沿った方向においてホルダ５６を位置決めできる寸法で形成されている。
本実施例では、位置決め柱６２の厚さは前記幅よりも小さい寸法で形成され、したがって位置決め柱６２は平板状に形成されている。
また、位置決め柱６２が検知片通過溝５６０６に挿入された状態で該検知片通過溝５６０６の奥部に臨む面で前記幅方向両側部分には、位置決め柱６２が検知片通過溝５６０６に挿入されやすいように湾曲状の案内面６２０２が形成されている。
【００２９】
次に上述のように構成された撮像装置１００の作用効果について説明する。
本実施例では、図１９に示すように、鏡筒１２に設けられた位置決め柱６２の幅は、該位置決め柱６２が検知片通過溝５６０６に挿入された状態で検知片通過溝５６０６の幅方向に沿った方向においてホルダ５６を位置決めできる寸法で形成されているので、図１９、図２５に示すように、ホルダ５６の検知片通過溝５６０６に位置決め柱６２を挿入すると、ホルダ５６が検知片通過溝５６０６の幅方向に沿った方向で正確に位置決めされる。より詳細には、検知片通過溝５６０６の位置と向きが位置決め柱６２により正確に設定される。その状態で、ホルダ５６の取付片５６１０の端面を第２鏡筒分割体１２０４の前面側箇所に突き当て、接着などにより第２鏡筒分割体１２０４に取着する。これにより、ホルダ５６は、検知片通過溝５６０６が正確に位置決めされた状態で第２鏡筒分割体１２０４に取着される。
そのため、検知片２０２０と一対の腕部５６０２との間の間隔を確実に確保することができ、検知片２０２０が一対の腕部５６０２に衝突することなく検知片通過溝５６０６を確実に通過することができる。したがって、検知片２０２０と一対の腕部５６０２との間の寸法を、すなわち検知片通過溝５６０６の幅方向の寸法を可及的に縮小することができ、これにより検知片通過溝５６０６の幅方向におけるホルダ５６の寸法を縮小でき、検出機構５４およびレンズ鏡筒１０のコンパクト化を図る上で有利となる。
また、本実施例では、フレキシブル基板６４よりも一対の腕部５６０２寄りに位置する連結部５６０４箇所または一対の腕部５６０２の連結部５６０４寄り箇所に光軸方向に突出する取付片５６１０を設け、ホルダ５６の背面とは反対側に位置する取付片５６１０箇所を第２鏡筒分割体１２０４に突き当てて該第２鏡筒分割体１２０４に取着するので、従来のように光検出器の配設用の取付板を兼ねた厚さの大きいプリント基板をホルダ５６の背面に配設する必要がなくなり、したがって、検知片通過溝５６０６の深さ方向における検出機構５４の寸法のコンパクト化を図る上で、また、レンズ鏡筒１０のコンパクト化を図る上で有利となる。
さらに、本実施例では、光検知器６０の各接続端子５６０８がホルダ５６の背面とほぼ同一面上に臨むように配設され、これら接続端子５６がフレキシブル基板６４に対してリフロー半田付けにより接続されているため、半田付け部分がフレキシブル基板６４の厚さ方向にスペースを占有することがなく、検出機構のコンパクト化を図る上で、また、レンズ鏡筒１０のコンパクト化を図る上でより有利となる。
【００３０】
なお、本実施例においては、撮像装置としてデジタルスチルカメラを例示したが、本発明はビデオカメラやテレビカメラなど撮像装置に無論適用可能である。
また、被写体像を銀塩フィルムに導く光学系を有するフィルム式カメラにも適用可能である。
【図面の簡単な説明】
【００３１】
【図１】実施例１の撮像装置を前方から見た斜視図である。
【図２】実施例１の撮像装置を後方から見た斜視図である。
【図３】実施例１の撮像装置を下方から見た斜視図である。
【図４】メモリカードおよびバッテリーの収容状態を説明する説明図である。
【図５】撮像装置の制御系を示すブロック図である。
【図６】レンズ鏡筒１０を斜め前方から見た斜視図である。
【図７】レンズ鏡筒１０を斜め後方から見た斜視図である。
【図８】レンズ鏡筒１０の一部の構成を示す分解斜視図である。
【図９】レンズ鏡筒１０の残りの構成を示す分解斜視図である。
【図１０】図６のＸＸ線断面図である。
【図１１】図６のＹＹ線断面図である。
【図１２】レンズ鏡筒１０の左側部分の断面斜視図である。
【図１３】レンズ鏡筒１０の右側部分の断面斜視図である。
【図１４】第１鏡筒分割体１２０２の横断面図である。
【図１５】第２鏡筒分割体１２０４の横断面図である。
【図１６】ズーム用可動レンズ１８、フォーカス用可動レンズ２０の斜視図である。
【図１７】第２鏡筒分割体１２０４の要部の断面斜視図である。
【図１８】第１鏡筒分割体１２０２、第２鏡筒分割体１２０４、第３鏡筒分割体１２０６の断面図である。
【図１９】図１６のＸ１Ｘ１断面図である。
【図２０】図１６のＹ１Ｙ１断面図である。
【図２１】検出機構５４の説明図である。
【図２２】光検知器の斜視図である。
【図２３】光検知器の６面図である。
【図２４】検出機構５４の組付けを説明する説明図である。
【図２５】検出機構５４の組付け状態の説明図である。
【符号の説明】
【００３２】
１００……撮像装置、１０……レンズ鏡筒、１２……鏡筒、１８……ズーム用可動レンズ、２０……フォーカス用可動レンズ、５４……検出機構、５６……ホルダ、５８……光センサ、５６０２……腕部、５６０４……連結部、５８０２……発光部と、５８０４……受光部、５６０６……検知片通過溝、６２……位置決め柱、１２８……撮像素子、２０２０……検知片。
【図１】
2005121882.tif 000003
【図２】
2005121882.tif 000004
【図３】
2005121882.tif 000005
【図４】
2005121882.tif 000006
【図５】
2005121882.tif 000007
【図６】
2005121882.tif 000008
【図７】
2005121882.tif 000009
【図８】
2005121882.tif 000010
【図９】
2005121882.tif 000011
【図１０】
2005121882.tif 000012
【図１１】
2005121882.tif 000013
【図１２】
2005121882.tif 000014
【図１３】
2005121882.tif 000015
【図１４】
2005121882.tif 000016
【図１５】
2005121882.tif 000017
【図１６】
2005121882.tif 000018
【図１７】
2005121882.tif 000019
【図１８】
2005121882.tif 000020
【図１９】
2005121882.tif 000021
【図２０】
2005121882.tif 000022
【図２１】
2005121882.tif 000023
【図２２】
2005121882.tif 000024
【図２３】
2005121882.tif 000025
【図２４】
2005121882.tif 000026
【図２５】
2005121882.tif 000027